(57)【特許請求の範囲】
【請求項１】
弁ケーシングで入口と、入口に連通する弁室と、第１弁座部材に開けた第１導出路及び第２弁座部材に開けた第２導出路を介して弁室に連通する出口を形成し、第１ダイヤフラム及び第２ダイヤフラムの間の内部空間に蒸気と復水による加熱冷却に対して熱応答性を有する膨脹媒体が封入され、第１弁座部材に離接して第１導出路を開閉する第１弁部材が第１ダイヤフラムに固着され、第２弁座部材に離接して第２導出路を開閉する第２弁部材が第２ダイヤフラムに固着された温度制御機素を、第１弁部材を第１弁座部材に対面させるとともに第２弁部材を第２弁座部材に対面させて第１弁座部材と第２弁座部材との間に配置し、弁室内の温度が高い場合に膨脹媒体の膨脹により第１弁部材及び第２弁部材が第１導出路及び第２導出路を閉口し、弁室内の温度が低い場合に膨脹媒体の収縮により第１弁部材及び第２弁部材が第１導出路及び第２導出路を開口する熱応動式スチームトラップであって、第２ダイヤフラムを第２弁座部材に近づける方向に付勢する弾性部材を設け、第１ダイヤフラム及び第２ダイヤフラムが第１弁座部材及び第２弁座部材から遠ざかる方向への所定以上の変位を規制するストッパ部材を第１ダイヤフラム及び第２ダイヤフラムの間の内部空間に設けたことを特徴とする熱応動式スチームトラップ。
【発明の詳細な説明】
【技術分野】
【０００１】
本発明は、蒸気と復水で加熱冷却されその温度に応じて膨脹収縮する媒体を含む温度制御機素を用いて、各種蒸気使用機器や蒸気配管で発生する復水を自動的に排出する熱応動式スチームトラップに関し、特に多量の復水を排出できる多量用の熱応動式スチームトラップに関する。
【背景技術】
【０００２】
従来の熱応動式スチームトラップは、例えば特許文献１に開示されている。これは、弁ケーシングで入口と、入口に連通する弁室と、第１導出路及び第２導出路を介して弁室に連通する出口を形成し、第１ダイヤフラム及び第２ダイヤフラムの間の内部空間に膨脹媒体を封入し、第１ダイヤフラムを開弁方向に付勢する弾性部材を設けた温度制御機素を第１導出路及び第２導出路の間に配置し、膨脹媒体の膨脹収縮による第１ダイヤフラム及び第２ダイヤフラムの変位によって第１導出路及び第２導出路を開閉するようにしたものである。
【先行技術文献】
【特許文献】
【０００３】
【特許文献１】特開平８−３１２８９１号公報
【発明の概要】
【発明が解決しようとする課題】
【０００４】
上記従来の熱応動式スチームトラップは、弁室内に所定温度以上の高温流体が流入してくると膨脹媒体が膨脹して先ず第２ダイヤフラムが第２導出路を閉止し続いて第１ダイヤフラムが第１導出路を閉止し、所定温度以下の低温流体が流入してくると膨脹媒体が収縮して先ず第１ダイヤフラムが第１導出路を開口し続いて第２ダイヤフラムが第２導出路を開口することにより、温度制御機素によって第１導出路及び第２導出路を開閉するので、排出容量を大きくでき、多量の復水を排出できるという優れたものであるが、膨脹媒体が収縮して内部空間の内圧が減少したときに、第１導出路を開口した第１ダイヤフラムのみが更に開弁方向に変位して第２ダイヤフラムが第２導出路を開口できない場合は多量の復水を排出できないという問題点があった。
【０００５】
したがって本発明が解決しようとする課題は、第１ダイヤフラム及び第２ダイヤフラムが確実に夫々第１導出路及び第２導出路を開口することのできる熱応動式スチームトラップを提供することである。
【課題を解決するための手段】
【０００６】
上記の課題を解決するために、本発明の熱応動式スチームトラップは、弁ケーシングで入口と、入口に連通する弁室と、第１導出路及び第２導出路を介して弁室に連通する出口を形成し、第１ダイヤフラム及び第２ダイヤフラムの間の内部空間に膨脹媒体を封入し、第２ダイヤフラムを閉弁方向に付勢する弾性部材を設け、第１導出路を開口した第１ダイヤフラム及び第２導出路を開口した第２ダイヤフラムの開弁方向への所定以上の変位を規制するストッパ部材を第１ダイヤフラム及び第２ダイヤフラムの間の内部空間に設けた温度制御機素を第１導出路及び第２導出路の間に配置し、膨脹媒体の膨脹収縮による第１ダイヤフラム及び第２ダイヤフラムの変位によって第１導出路及び第２導出路を開閉するようにしたものである。
【発明の効果】
【０００７】
本発明によれば、第１導出路を開口した第１ダイヤフラム及び第２導出路を開口した第２ダイヤフラムの開弁方向への所定以上の変位を規制するストッパ部材を第１ダイヤフラム及び第２ダイヤフラムの間の内部空間に設けたものであるので、一方の導出路を開口した一方のダイヤフラムのみが更に開弁方向に変位することを防止でき、第１ダイヤフラム及び第２ダイヤフラムが確実に夫々第１導出路及び第２導出路を開口することができるという効果を奏する。
【図面の簡単な説明】
【０００８】
【図１】本発明の実施の形態に係わる熱応動式スチームトラップの断面図である。
【発明を実施するための形態】
【０００９】
以下、本発明の実施の形態について、図１を参照して説明する。本体１と端部材２をボルト（図示せず）で結合して、内部に弁室３を有する弁ケーシングが形成される。端部材２には入口４が形成され、本体１には入口４と同軸上の出口５が形成されている。入口４は本体１に形成された流入通路６，７を通して弁室３に連通している。
【００１０】
弁室３と出口５の間の隔壁部に、第１導出路８を開けた第１弁座部材９と、第２導出路１０を開けた第２弁座部材１１が同軸上にねじ結合されている。弁室３は第１及び第２の導出路８，１０から隔壁部の外側を通して出口５に連通している。
【００１１】
第１弁座部材９と第２弁座部材１１の間に、温度制御機素１２が配置され、ばね１３で保持されている。温度制御機素１２は、第１及び第２のダイヤフラム１４，１５の間に中央に開口を有するストッパ部材２１を介在させて夫々の外周縁を固着し、第１及び第２のダイヤフラム１４，１５の間に形成した内部空間に膨脹媒体１６を封入したものである。ストッパ部材２１は第１導出路８を開口した第１ダイヤフラム１４及び第２導出路１０を開口した第２ダイヤフラム１５の開弁方向への所定以上の変位を規制する。膨脹媒体１６は、水、水より沸点の低い液体、或いはそれらの混合物で形成される。第１及び第２のダイヤフラム１４，１５には夫々中央に第１及び第２の導出路８，１０を開閉する第１及び第２の弁部材１７，１８が固着されている。また第１及び第２のダイヤフラム１４，１５の外周縁には、中央に第１及び第２の弁部材１７，１８が出入する開口が開けられた壁部材１９，２０の外周縁が固着されている。そして第２ダイヤフラム１５を閉弁方向に付勢する弾性部材としての皿バネ２３がストッパ部材２１と第２ダイヤフラム１５の間に配置されている。
【００１２】
上記の熱応動式スチームトラップの動作は下記の通りである。弁室３内に流入してくる流体の温度が高い場合、第１及び第２のダイヤフラム１４，１５の間の内部空間に封入した膨脹媒体１６が膨脹して内部空間の内圧が増大し、先ず第２ダイヤフラム１５が第２弁座部材１１側に変位して第２弁部材１８で第２導出路１０を閉止し、続いて第１ダイヤフラム１４が第１弁座部材９側に変位して第１弁部材１７で第１導出路８を閉止する。
【００１３】
弁室３内の温度が放熱等によって低下したり弁室３内に流入してくる流体の温度が低い場合は、膨脹媒体１６が収縮して内部空間の内圧が減少し、先ず第１ダイヤフラム１４が第１弁座部材９から遠ざかり第１弁部材１７が第１導出路８を開口し、続いて第２ダイヤフラム１５が第２弁座部材１１から遠ざかり第２弁部材１８が第２導出路１０を開口する。
【産業上の利用可能性】
【００１４】
本発明は、蒸気と復水で加熱冷却されその温度に応じて膨脹収縮する媒体を含む温度制御機素を用いて、各種蒸気使用機器や蒸気配管で発生する復水を自動的に排出する熱応動式スチームトラップに利用することができる。
【符号の説明】
【００１５】
１  本体
２  端部材
３  弁室
４  入口
５  出口
８  第１導出路
１０  第２導出路
１２  温度制御機素
１４  第１ダイヤフラム
１５  第２ダイヤフラム
１６  膨脹媒体
２１  ストッパ部材
２３  皿バネ
【図１】
0005922934.tif 000002